(57)【要約】      （修正有）【課題】液体を回収するのみならず，組織をも切除できる医療機器を提供する。【解決手段】筒状の本体部３と，本体部と吸引装置５とを接続する接続部７とを有する医療用吸引管１であって，本体部の先端領域内部には，組織を切除するための刃９が設けられた，医療用吸引管。【選択図】図１
2020089713.tif 000002
【特許請求の範囲】
【請求項１】
筒状の本体部（３）と，前記本体部（３）と吸引装置（５）とを接続する接続部（７）とを有する医療用吸引管（１）であって，
前記本体部（３）の先端領域内部には，組織を切除するための刃（９）が設けられ，
前記刃（９）は，前記本体部内部に前記本体部の中心軸（１１）に対して傾斜して存在し，縁部が前記本体部内部と接する中空状の刃であり，
前記本体部の先端が，前記本体部の中心軸に対して傾斜するように斜めにカットされた形状を有し，
前記刃（９）は，斜めにカットされた形状の前記本体部の先端に沿って，前記本体部の中心軸に対して傾斜する，
医療用吸引管。
【請求項２】
請求項１に記載の医療用吸引管（１）であって，
前記刃は，縁部が前記本体部内部と接する，１又は複数の刃部を有する，医療用吸引管。
【請求項３】
請求項１又は２に記載の医療用吸引管（１）であって，
前記本体部を回転させるための回転機構（１３）をさらに含む，医療用吸引管。
【請求項４】
請求項１〜３のいずれか１項に記載の医療用吸引管（１）と，前記本体部（３）と接続され，吸引された対象物が収容される溶液槽とを含む，組織回収装置。
【発明の詳細な説明】
【技術分野】
【０００１】
本発明は医療用の吸引管に関する。より詳しく説明すると，本発明は，筒の内部に刃を有する吸引管に関する。
【背景技術】
【０００２】
特開平８−３３６５９５号公報には，刃を有する吸引管が記載されている。  
【先行技術文献】
【特許文献】
【０００３】
【特許文献１】特開平８−３３６５９５号公報
【発明の概要】
【発明が解決しようとする課題】
【０００４】
吸引管は，通常，施術中に対象となる液体を吸収するために用いられるのみである。一方，特に，はさみを開閉しにくいような狭い患部での施術の場合，吸引管で液体を吸収するついでに，組織や対象物を切除したい場合がある。そのような場合，医療機器を取り換えるのは煩雑である。よって，液体を回収するのみならず，組織をも切除できる医療機器が望まれた。
【課題を解決するための手段】
【０００５】
本発明は，基本的には，医療用の細い吸引管の内部に，中心方向に向けられた刃を設けることで，切除対象物を吸引管内に導いて，吸引管を回転させることで，切除対象を容易に切除でき，しかも切除した対象を容易に回収できるという知見に基づく。
【０００６】
この明細書により開示される最初の発明は，医療用吸引管１（吸引管１）に関する。
この吸引管１は，筒状の本体部３と，本体部３と吸引装置５とを接続する接続部７とを有する医療用吸引管１である。
そして，本体部３の先端領域内部には，組織を切除するための刃９が設けられている。
【０００７】
この吸引管１の好ましい例は，以下のものである。
刃９が，本体部内部に本体部の中心軸１１に対して傾斜して存在し，縁部が本体部内部と接する中空状の刃である。本体部の先端領域は，刃にそって本体部の中心軸に対して傾斜した形状を有する。
【０００８】
この吸引管１の好ましい例は，以下のものである。
刃は，縁部が本体部内部と接する，１又は複数の刃部を有する。
【０００９】
この吸引管１の好ましい例は，以下のものである。
刃は，縁部が本体部内部と接する複数の刃部を有し，複数の刃部は，本体部の中心軸に対して傾斜して存在する。
【００１０】
この吸引管１の好ましい例は，以下のものである。
本体部を回転させるための回転機構を含む。
【００１１】
この吸引管１の好ましい利用例は，以下の組織回収装置である。
この組織回収装置は，吸引管１と，本体部と接続され，吸引された対象物が収容される溶液槽とを含む，組織回収装置である。
【発明の効果】
【００１２】
本発明の吸引管は，医療用の細い吸引管の内部に中心方向に向けられた刃が存在するので，切除対象物を吸引管内に導いて，吸引管を回転させることで，切除対象を容易に切除でき，しかも切除した対象を容易に回収できる。
【図面の簡単な説明】
【００１３】
【図１】図１は，吸引管の利用例を示す概念図である。
【図２】図２は，吸引管の先端部の例を示す概念図である。図２Ａは吸引管の先端部の断面図を示し，図２Ｂは図２ＡのＸ−Ｘ断面図を示す。
【図３】図３は，切刃部分が，本体部の中心軸に対して垂直方向より傾斜して延びている例を示す概念図である。図３Ａは，切刃部分が，本体部の中心軸に対して垂直方向より上方に向かって傾斜して延びていてるものの例を示し，図３Ｂは，切刃部分が，本体部の中心軸に対して垂直方向より下方に向かって傾斜して延びていているものの例を示す。
【図４】図４は，刃が，本体部内部に本体部の中心軸に対して傾斜して存在し，縁部が本体部内部と接する中空状の刃である吸引管の例を示す概念図である。
【図５】図５は，複数の刃部を有する吸引管の例を示す概念図である。図５Ａは吸引管を半分に割った際の概念図である。図５Ｂは，図５Ａの吸引管を上部から見た際の図である。
【図６】図６は，複数枚（３枚）の傾斜しており，切刃部分が，本体部の中心軸に対して垂直方向より傾斜して延びている例を示す概念図である。図６Ａは，吸引管を上方から見た概念図を示し，図６Ｂは，図６ＡのＸ−Ｘ断面図を示し，図６Ｃは，図６ＡのＹ−Ｙ断面図を示す。
【図７】図７は，本体部を回転させるための回転機構を含む吸引管の例を示す概念図である。
【発明を実施するための形態】
【００１４】
以下，図面を用いて本発明を実施するための形態について説明する。本発明は，以下に説明する形態に限定されるものではなく，以下の形態から当業者が自明な範囲で適宜修正したものも含む。
【００１５】
この明細書により開示される最初の発明は，医療用吸引管１（吸引管１）に関する。吸引管は，医療分野（例えば，耳鼻咽喉科用，歯科用，眼科用，涙道手術用，泌尿器科用，外科手術用，内視鏡手術用，腹腔鏡手術用，）や用途（例えば，凝固組織回収用，壊死組織回収用，分泌物回収用，粘液物回収用，血液回収用，涙回収用，唾液回収用）に応じて様々なものがある。
【００１６】
図１は，吸引管の利用例を示す概念図である。図２は，吸引管の先端部の例を示す概念図である。図２Ａは吸引管の先端部の断面図を示し，図２Ｂは図２ＡのＸ−Ｘ断面図を示す。この吸引管１は，筒状の本体部３と，本体部３と吸引装置５とを接続する接続部７とを有する医療用吸引管１である。吸引管は，本体部が直線状の筒状のもの，先端に向かう程径が小さくなる部分を有する円筒状のもの，途中から曲がった部分を有する筒状のものなど，様々な形状のものがある。筒状の本体部３の直径φの例は，０．５ｍｍ以上１ｃｍ以下であり，０．５ｍｍ以上５ｍｍ以下でもよいし，１ｍｍ以上３ｍｍ以下でもよい。本発明は，医療用のはさみの開閉がしにくい微小領域において用いられることが好ましいので，直径φは０．５ｍｍ以上２ｍｍ以下でもよい。図２に示されるように，本体部３の先端領域内部には，組織を切除するための刃９が設けられている。刃９は，縁（峰）の全体又は一部が吸引管の本体部３の内壁と接続されていることが好ましい。そして，組織など対象部分を切る部分（切刃部分）が，吸引管の内部において，吸引管の中心軸方向に向かっていることが好ましい。切刃部分は，本体部３の中心軸に対して垂直方向に延びていてもよいし，上方に傾斜して延びていてもよいし，下方に傾斜して延びていてもよい。
【００１７】
吸引管は，吸引装置から吸引することで陰圧となる。このため，刃９は，図２Ａに示されるように，先端（図の上部）に近づくほど刃の幅が大きくなるようなテーパー（傾斜）を有するものであること（切刃部分が，本体部３の中心軸に対して，上方に向かうように傾斜して延びていること）が好ましい。そのような刃を有することで，吸引力を高めることができる。一方，図２Ｂに示されるように，刃が中空状（中心軸の周辺には刃が存在しない形状）とすることで，刃９の上部には吸引装置からの吸引が弱まる部分ができることとなり，吸気したくない微小組織がある場合は，刃９の上部に位置させることで，体液などを吸引しつつ，組織を保護できるため，好ましい。そのような観点から，刃の刃渡り（刃の幅：吸引管の内壁から刃先までの距離）は，吸引管の内径をφとした場合，φの１／２０以上１／３以下が好ましく，１／１０以上１／４以下でもよいし，１／１０以上１／５以下でもよい。刃の厚さは，吸引管が微小なので，それに合わせた厚さであればよく，例えば１０μｍ以上１ｍｍ以下でよく，５０μｍ以上０．５ｍｍ以下でもよいし，０．１ｍｍ以上０．５ｍｍ以下でもよい。刃９は，吸引管の先端に存在してもよいし，図２Ａに示されるように，刃の上部を確保し，刃の欠損を避けるため，先端より下方に存在してもよい。図２Ｂのものは，刃が中空円状になっている。一方，刃は弦状であってもよいし，完全な円ではなく，ゆがんだ円状や歯形のように部分部分に存在する状態のものであってもよい。
【００１８】
図１に示される例では，吸引管１が，ホース２１により吸引装置５と接続されている。そして，ホース２１の途中には，施術者が指で穴をふさげば吸引状態が続き，穴を開放すると吸引力が弱まる穴２３が存在している。この穴２３は，ホース２１といった吸引管と吸引装置とを連結するホース部分に存在してもよい。一方，この穴は，吸引管の接続部７や本体部分の接続部７側の部位に存在してもよい。吸引管は，接続部７があるので，ホースなどから取り外しでき，吸引管１を洗浄したり，吸引管を取り換えたりできるものが好ましい。
【００１９】
図３は，切刃部分が，本体部の中心軸に対して垂直方向より傾斜して延びている例を示す概念図である。図３Ａは，切刃部分が，本体部の中心軸に対して垂直方向より上方に向かって傾斜して延びていてるものの例を示し，図３Ｂは，切刃部分が，本体部の中心軸に対して垂直方向より下方に向かって傾斜して延びていているものの例を示す。図２のものは，刃９が本体部３の内壁から実質的に垂直に伸びているが，図３のものは，刃が傾斜している。図３Ａにおいてθは，切刃部分のテーパの角度を示し，θの例は１度以上４５度以下であり，５度以上３０度以下でもよいし，５度以上２０度以下でもよい。
【００２０】
図４は，刃が，本体部内部に本体部の中心軸に対して傾斜して存在し，縁部が本体部内部と接する中空状の刃である吸引管の例を示す概念図である。この例では，吸引管の先端が注射針のように斜めにカットされており，カットされた先端に沿って刃９が存在している。一方，先端部分が筒状であってもよい。刃９が，本体部内部に本体部の中心軸１１に対して傾斜して存在し，縁部が本体部内部と接する中空状の刃であることで，小さな対象物を，容易に切除できる。本体部の先端領域は，刃にそって本体部の中心軸に対して傾斜した形状を有するものの場合，吸引管自体を注射針のように用いることができ，吸引管本体を用いて，対象を切除することや，組織に吸引管を挿入しつつ，血液などの液体を吸引し続けることができる。傾斜の角度は任意である。傾斜の例は，０度を中心軸１１に垂直とすれば，１度以上７０度以下であり，５度以上４５度以下でもよく，１０度以上３０度以下でもよいし，１０度以上５０度以下でもよい。
【００２１】
刃は，縁部が本体部内部と接するものであることが好ましい。刃の数は１枚でもよいし，又は複数の刃部を有するものであってもよい。図５は，複数の刃部を有する吸引管の例を示す概念図である。図５に示される例は，刃は，縁部が本体部内部と接する複数の刃部を有し，複数の刃部は，本体部の中心軸に対して傾斜して存在する。このような形状を有すると，対象となる組織などを容易に切除できることとなる。図５Ａは吸引管を半分に割った際の概念図である。図５Ｂは，図５Ａの吸引管を上部から見た際の図である。図５の例では，４枚の刃部が９０度ごとに設置されている。刃先は中心軸方向に面した部分に存在し，吸引管内に挿入された組織などの対象物を切除できる。吸引管が複数の刃９を有する場合，複数の刃９は同じ方向に傾斜していてもよいし（本体部３を展開したとき，刃９向きが，／，／，／，／のようにおよそ平行になる），隣接する刃９が互いに逆方向に傾斜してもよい（本体部３を展開したとき，刃９向きが，／，＼，／，＼のようになる）。
【００２２】
図６は，複数枚（３枚）の傾斜しており，切刃部分が，本体部の中心軸に対して垂直方向より傾斜して延びている例を示す概念図である。図６Ａは，吸引管を上方から見た概念図を示し，図６Ｂは，図６ＡのＸ−Ｘ断面図を示し，図６Ｃは，図６ＡのＹ−Ｙ断面図を示す。吸引管の本体部を回転させることで，刃の切刃部分により対象となる組織を容易に切除できる。
【００２３】
図７は，本体部を回転させるための回転機構を含む吸引管の例を示す概念図である。回転機構は，任意要素であるが，回転機構を有すると以下に説明する通り有利な効果がある。例えば，回転機構１３は中空であり，吸引管による液や対象物の吸引を妨げない。この吸引管は，圧を逃がすための穴があってもよい。回転機構１３の例は，ボールベアリングといった回転駆動機構を用いて，回転機構１３を指又は手で回転させると，それに伴って，接続部７に対して，本体部３が相対的に回転移動するように駆動できるものである。回転機構１３を指で移動させると，吸引管の本体部分の回転移動に連れて，刃が回転するので，施術中に容易に対象となる組織を切除できる。また，施術中に吸引管の吸引が悪くなった場合にも，回転機構１３を回転させることで，本体部に振動を与え，詰まりを防止できるので，施術の効率化にも寄与することとなる。また，小型モータやアクチュエータにより，接続部７に対して，本体部３を回転できるように駆動してもよい。回転機構１３は，図示しない電源と接続されており，施術者が電源をＯＮにする（回転動作を開始する）と，回転機構１３が駆動され，本体部３が電力により回転するようにされている。このようにすれば，効果的に，対象となる組織などを切除できる。。
【００２４】
この吸引管１の好ましい利用例は，吸引管１と，本体部３と接続され，吸引された対象物が収容される溶液槽とを含む，組織回収装置である。溶液槽は，接続部７と接続されたホースなどと連結されていればよい。例えば，液体と固体とは重さが異なるので，固体と液体とが遠心分離されるようにされており，液体は吸引装置５へ吸引され，固体は溶液槽に主に回収される。溶液槽には，例えば組織保存液が収容されているので，回収された組織などを分析することができる。
【産業上の利用可能性】
【００２５】
本発明は，医療機器の分野にて利用されうる。
【符号の説明】
【００２６】
１  医療用吸引管
３  本体部
５  吸引装置
７  接続部
９  刃
１１  本体部の中心軸
１３  回転機構  
【図１】
2020089713.tif 000003
【図２】
2020089713.tif 000004
【図３】
2020089713.tif 000005
【図４】
2020089713.tif 000006
【図５】
2020089713.tif 000007
【図６】
2020089713.tif 000008
【図７】
2020089713.tif 000009